(57)【要約】      （修正有）【課題】閉じた状態に保つ為の手段が設けられているため、外箱部に対する内箱部の自由なスライド又はスイング（回動）を、片手によるパッケージの開閉が困難となる問題がある。内箱部の移動時にユーザが該外箱部を把持し易くなるよう構成された外箱部を提供する。【解決手段】シガレットパッケージ用の外箱部１１が、天壁部１５と底壁部とによって離間された状態で接続され囲み（エンクロージャ）を形成する互いに平行な前壁部１８ａと後壁部とを含み、該外箱部が、内箱部を内部に配置し、該内箱部１２を該外箱部に対して閉位置と開位置との間で移動可能に構成され、グリップ強化手段１４が、これら壁部の少なくとも一つの外表面に設けられている。内箱部の移動時にユーザが該外箱部を把持し易くなるよう構成されている。【選択図】図１Ａ
2020033107.tif 000002
【特許請求の範囲】
【請求項１】
パッケージ（１０、２０）用の外箱部（１１、２１）であって、
前壁部（１８ａ、２８ａ）、後壁部（１８ｂ、２８ｂ）、天壁部（１５、２５）、底壁部（１６、２６）、並びに、前記天壁部及び前記底壁部の端部に隣接している側壁部（１９、２９）を備え、
前記前壁部及び前記後壁部は、互いに平行であり、且つ、少なくとも前記天壁部と前記底壁部とによって離間された状態で接続されて囲い（エンクロージャ）を形成しており、
前記外箱部は、内箱部（１２、２２）を内部に配置し、該内箱部を前記外箱部に対して閉位置と開位置との間で移動可能に構成され、
前記側壁部には、前記閉位置に存在する前記内箱部の一部が露出する開口部（１３、２３）が設けられており、
一つ又は複数のグリップ強化手段（１４、２４）が、前記各壁部の少なくとも一つの外表面に設けられており、かつ、ユーザが手指で前記開口部を介して押して前記内箱部を前記外箱部に対して移動させる際にユーザが前記外箱部を把持し易くなるよう構成されており、
前記グリップ強化手段の少なくとも一つが、前記天壁部若しくは前記底壁部の一方又は双方に設けられており、
前記天壁部若しくは前記底壁部の一方又は双方に設けられている前記グリップ強化手段は、全体的に、前記天壁部又は前記底壁部において、前記開口部が設けられている前記側壁部側に片寄って配置されている、
外箱部。
【請求項２】
前記グリップ強化手段の他の少なくとも一つが、前記前壁部若しくは前記後壁部の一方又は双方の中間部（１７ａ、１７ｂ）に更に設けられており、かつ、前記前壁部若しくは前記後壁部の一方又は双方の外表面の凸状部を備えている、
請求項１に記載の外箱部。
【請求項３】
前記グリップ強化手段の少なくとも一つが、前記前壁部若しくは前記後壁部の一方又は双方において、該前壁部又は該後壁部の、前記開口部が設けられている前記側壁部に接続される側の一長辺に対して、傾斜した少なくとも一本の線分に沿って延在されており、
前記線分は、前記一長辺に近い側の端が他方の端よりも下方に位置している、
請求項１又は２に記載の外箱部。
【請求項４】
前記グリップ強化手段の少なくとも一つが摩擦係数０．２から２．０のコーティングを備える、
請求項１から３のいずれか一項に記載の外箱部。
【請求項５】
前記凸状部が、エンボス加工されたリブ、線、若しくは点、ニス掛けされたリブ、線、若しくは点、又は、粒子材及び／又は合成材が押出し若しくは堆積されたリブ、線、若しくは点を備える、
請求項２に記載の外箱部。
【請求項６】
少なくとも０．５ｍｍの一定間隔、好ましくは５．０ｍｍ以下の一定間隔で配置された複数の前記グリップ強化手段を備える、
請求項１から５のいずれか一項に記載の外箱部。
【請求項７】
前記グリップ強化手段は０．０２ｍｍから０．１０ｍｍの高さを有する、
請求項２、請求項５、及び請求項２に従属する請求項６のいずれか一項に記載の外箱部。
【請求項８】
前記内箱部の前記開位置から前記閉位置への移動が、直線移動又は回動を含む、
請求項１から７のいずれか一項に記載の外箱部。
【請求項９】
前記グリップ強化手段の少なくとも一つが 、前記パッケージの向きをユーザに触知させるように構成されている、
請求項１から８のいずれか一項に記載の外箱部。
【請求項１０】
前記グリップ強化手段の少なくとも一つが、
該グリップ強化手段の単体若しくはこれを含む集団の形状；
該グリップ強化手段の単体若しくはこれを含む集団の寸法；
該グリップ強化手段の単体若しくはこれを含む集団の高さ；
該グリップ強化手段の単体若しくはこれを含む集団の深さ；又は、
該グリップ強化手段の単体若しくはこれを含む集団のテクスチャ
の非対称性によって向きを示すように構成されている、
請求項９に記載の外箱部。
【請求項１１】
請求項１から１０のいずれか一項に記載の外箱部を形成するためのブランクであって、
前記前壁部及び前記後壁部を形成する少なくとも２つの主パネル（１８ａ、１８ｂ、２８ａ、２８ｂ）と；
前記２つの主パネルの間にあって、前記２つの主パネルと折り線で境を接する少なくとも１つの接続パネル（１９、２９）と；
前記２つの主パネルの少なくとも一つの長手方向の各端において一つの折り線で境を接し、前記天壁部と前記底壁部との各々を形成する少なくとも１つのフラップ（１５ａ、１５ｂ、１６ａ、１６ｂ、２５ａ、２５ｂ、２６ａ、２６ｂ）と；
を有し、
前記２つの主パネルの少なくとも一つ又は前記フラップの少なくとも一つが、その外表面に前記グリップ強化手段を備える、
ブランク。
【請求項１２】
請求項１から１０のいずれか一項に記載の外箱部を製造する方法であって、請求項１１に記載のブランクを折り畳む工程を含む、
製造方法。
【請求項１３】
内箱部と、請求項１から１０のいずれか一項に記載の外箱部とを備えるパッケージ（１０、２０）であって、該内箱部が該外箱部内に収容され、該外箱部に対して閉位置と開位置との間で移動可能に構成されている、
パッケージ。
【発明の詳細な説明】
【技術分野】
【０００１】
本開示は概ねパッケージ、例えばタバコ製品用パッケージの分野に関し、特にシガレットパッケージ、かかるパッケージの製造に用いられるブランク、及びかかるパッケージの製造方法の分野に関する。
【背景技術】
【０００２】
パッケージには人間工学的且つ実用的なデザインに関する改良が絶えず求められている。かかる要望が強い分野の一つに、シガレットパッケージ等のタバコ製品用パッケージの提供分野が挙げられる。
【０００３】
シガレットパッケージは難しい要求に幅広く応えなければならない。特に、かかるパッケージは安価で大量生産が可能であるのみならず、シガレットを安全に保管しその鮮度を保つと共に、度重なるパッケージの開閉動作を経ても自身の原形を保てなければならない。
【０００４】
今日、シガレットパッケージに最も多いタイプはヒンジ蓋を持つものであろう。このタイプのパッケージは通常、厚紙の箱製であり、その上端にヒンジ蓋が一体形成されている。シガレットは長手方向を揃えて収容されており、蓋を開けるとユーザはシガレットの端をつまんでこれを取り出すことができる。
【０００５】
また、スライド開閉機構又はスイング開閉機構を備えたシガレットパッケージがこれまでに提案されている。このパッケージでは、シガレットを収容する内箱部が外箱部に内包される。閉位置では、内箱部の開口が外箱部に覆われているが、収容されたシガレットを取り出すために、この内箱部を外箱部に対して開位置へ移動させることができる。
【０００６】
スライド開閉式の場合、内箱部は外箱部に対して直線的に移動するが、スイング開閉式の場合、内箱部は外箱部に対し少なくとも若干の回転を含む動きによって移動する。これらの構成並びにその他の構成において、パッケージが不用意に開かない様、内箱部と外箱部との相対移動に何らかの規制を設けることが依然として必要である。
【０００７】
通常は、非使用時にスライド開閉式及びスイング開閉式のパッケージを閉じた状態に保つ為に（つまり、パッケージが単純に重力によって勝手に開いてしまわない様に）、何らかの手段が設けられている。これは、外箱部にぴったりとフィットした内箱部や、連結タブ等の特殊な機構（例えば、ＰＣＴ国際公開第２０１３／１６４３７２号を参照）によってもたらされる摩擦力により実現され得る。
【先行技術文献】
【特許文献】
【０００８】
【特許文献１】ＰＣＴ国際公開第２０１３／１６４３７２号
【発明の概要】
【発明が解決しようとする課題】
【０００９】
しかしながら、外箱部に対する内箱部の自由なスライド又はスイング（回動）をこのように制限すると、片手によるパッケージの開閉が困難となる。このことは、標準的なシガレット用のパッケージよりも幅の狭い極細シガレット用のパッケージで特に問題となる。
【課題を解決するための手段】
【００１０】
ここでは、少なくとも部分的に外箱部に収容される内箱部を有するパッケージであって、
上記内箱部と上記外箱部とが、内箱部の中身にアクセス可能な開位置と、中身にアクセスできない閉位置との間で相対的に移動可能に構成されているパッケージが記述される。このパッケージを開ける時又は閉める時、或いはその両方の時に於いて、ユーザによる外箱部のグリップ感が、その外表面の１面又は２面以上に設けられる構成によって改善される。
【００１１】
かかるグリップ強化手段は、例えば、シガレット、シガー、シガリロ等のタバコ製品／喫煙品のパッケージ、特に厚紙製のスライド開閉式及びスイング開閉式シガレットパッケージに設けることができるが、その使用は当該分野に限定されるものではない。例えば、プラスチック、金属、木、或いは他の適当な材料から成るチューインガムのパッケージや爪楊枝入れ等の携帯容器への適用も想定される。
【００１２】
本発明の第一の側面によれば、パッケージ用の外箱部が提供される。
この外箱部は、前壁部、後壁部、天壁部及び底壁部を備え、その前壁部及びその後壁部が、互いに平行であり、且つ、少なくとも当該天壁部と当該底壁部とによって離間された状態で接続されて囲い（エンクロージャ）を形成しており、
また、その外箱部は、内箱部を内部に配置し、その内箱部を外箱部に対して閉位置と開位置との間で移動可能に構成されており、
一以上のグリップ強化手段が上記各壁部の少なくとも一つの外表面に設けられ、かつ、上記内箱部を上記外箱部に対して移動させる間にユーザが当該外箱部を把持し易くなるよう構成されている。
【００１３】
上記グリップ強化手段の少なくとも一つは、上記前壁部又は上記後壁部に設けられてよい。
【００１４】
上記グリップ強化手段の少なくとも一つは、上記前壁部と上記後壁部の一方又は双方の実質的な中間部の実質的な内側に設けられてもよい。
【００１５】
上記グリップ強化手段の少なくとも一つは、上記天壁部又は上記底壁部に設けられてよい。
【００１６】
上記グリップ強化手段の少なくとも一つは、上記天壁部又は上記後壁部の端部に隣接して設けられてもよい。
【００１７】
上記グリップ強化手段の少なくとも一つは、摩擦係数の大きいコーティングを含んでよい。
【００１８】
上記グリップ強化手段の少なくとも一つは、上記外箱部の外表面上の凸状部を含んでよい。
【００１９】
上記凸状部は、エンボス加工された複数の線又は複数の点であってよい。
【００２０】
上記凸状部は、ニス掛けによる複数の線又は複数の点であってよい。
【００２１】
上記外箱部は、少なくとも０．５ｍｍの一定間隔、好ましくは５．０ｍｍ以下の一定間隔を空けて配置された複数の上記グリップ強化手段を備えてよい。
【００２２】
上記グリップ強化手段は、高さが０．０２ｍｍ〜０．５０ｍｍであってよい。
【００２３】
上記内箱部の上記開位置から上記閉位置への移動は、直線移動を含んでよい。
【００２４】
上記内箱部の上記開位置から上記閉位置への移動は、回動を含んでよい。
【００２５】
上記グリップ強化手段の少なくとも一つは、上記外箱部の少なくとも一つの長辺に対して傾斜した少なくとも１本の線に沿って延在されていてもよい。
【００２６】
上記グリップ強化手段の少なくとも一つは、上記パッケージの向きをユーザに触知させる様に構成されてよい。
【００２７】
上記グリップ強化手段の少なくとも一つは、
該グリップ強化手段の単体若しくはこれを含む集団の形状；
該グリップ強化手段の単体若しくはこれを含む集団の寸法；
該グリップ強化手段の単体若しくはこれを含む集団の高さ；
該グリップ強化手段の単体若しくはこれを含む集団の深さ；又は、
該グリップ強化手段の単体若しくはこれを含む集団のテクスチャ
の非対称性によって向きを示す様に構成されていてもよい。
【００２８】
上記外箱部は、取り外し可能及び交換可能に構成された内箱部と接続する反転可能な手段を含んでよい。
【００２９】
上記外箱部は、厚紙、プラスチック、金属、又は木材で形成されていてもよい。
【００３０】
本発明の第二の側面によれば、上記第一の側面にかかる外箱部を形成するためのブランクが提供される。
【００３１】
上記ブランクは、上記前壁部及び上記後壁部を形成する少なくとも２つの主パネルと；上記２つの主パネルの間にあって、これらと折り線で境を接する少なくとも１つの接続パネルと；上記２つの主パネルの少なくとも一方の長手方向の各端において一つの折り線で境を接し上記天壁部と上記底壁部の各々を形成する少なくとも１つのフラップと；を有し、上記２つの主パネルの少なくとも一方、又は上記フラップの少なくとも１つがその外表面に上記グリップ強化手段を備えてよい。
【００３２】
本発明の第三の側面によれば、本発明の第一の側面にかかる外箱部を製造する方法であって、本発明の第二の側面にかかるブランクを折り畳む工程を含む方法が提供される。
【００３３】
本発明の第四の側面によれば、内箱部と、本発明の第一の側面にかかる外箱部とを備えるパッケージであって、該内箱部が該外箱部内に収容され、該外箱部に対して閉位置と開位置との間で移動可能に構成されているパッケージが提供される。
【００３４】
上記パッケージは喫煙品用であってよく、該喫煙品はシガレットであってよく、該シガレットは極細タイプであってよい。
【図面の簡単な説明】
【００３５】
以下、本発明の具体例を下記の添付図面を参照しながら説明する。
【図１Ａ】図１Ａは、閉位置にあるスライド開閉式箱の一例を示す。
【図１Ｂ】図１Ｂは、開位置にある図１Ａに示したスライド開閉式箱を示す。
【図１Ｃ】図１Ｃは、図１Ａと図１Ｂに示したスライド開閉式箱の外箱部の製造に用いられるブランクを示す。
【図２Ａ】図２Ａは、閉位置にあるスイング開閉式箱の一例を示す。
【図２Ｂ】図２Ｂは、開位置にある図２Ａに示したスイング開閉式箱を示す。
【図２Ｃ】図２Ｃは、図２Ａと図２Ｂに示したスイング開閉式箱の外箱部の製造に用いられるブランクを示す。
【発明を実施するための形態】
【００３６】
図１によれば、スライド開閉式箱の形態を採るパッケージ１０が示されている。このパッケージは、外箱部１１と内箱部１２とを有する。内箱部は、外箱部に対して移動可能であり、特に図１Ａに示す第一の位置（閉位置）と、図１Ｂに示す第二の位置（開位置）との間でスライド可能となっている。
【００３７】
ユーザは、外箱部の開口部１３から覗く内箱部の部分を親指又はその他の指で押すことにより、内箱部をスライドさせることができる。図１Ｂには示していないが、外箱部が開位置にある時、ユーザは内箱部の中身にアクセスすることができる。
【００３８】
上記内箱部を開位置と閉位置とに保つため、例えばＰＣＴ国際公開第２０１３／１６４３７２号に開示されているようなロック要素によって、適度な抵抗を付与することができる。この様にして、内箱部に対する外箱部の不用意な移動を防止することができる。
【００３９】
パッケージを開ける時、閉める時、或いはその両方において、外箱部を把持するのを補助するための複数の部位に複数のグリップ強化手段１４が設けられている。例えば図１に示すように、このグリップ強化手段は、天壁部１５と底壁部１６との境に接する側壁部に面して、且つ、前壁部１８ａ及び後壁部１８ｂのそれぞれの中間部１７ａ及び１７ｂ（破線で表示）に設けられ得る。これらグリップ強化手段は、例えば、凸状又は凹状のリブ、ニスの線若しくは点、又は、微粒子及び／又は外箱部の表面に堆積若しくは押し出されたプラスチックのような合成材料の形態を取り得る。その箱を開けるには、ユーザは例えば親指を外箱部の前壁部か後壁部（右手を使うか左手を使うかによって異なる）上に置き、薬指と場合により小指とを前壁部か後壁部の他方上に置き、人差し指を天壁部上に置き、開口部１３内に覗く内箱部を中指で押すことができる。或いは、ユーザは親指と人差し指又は中指を底壁部と天壁部の上に置いてパッケージを挟み、開口部１３内に覗く内箱部を中指又は薬指で押してもよい。片手、両手のいずれで行うにしろ、箱を開ける方法は他にも種々考えられる。このグリップ強化手段は、箱を開ける、閉める、或いはその両方の動作を行い得る一つ又は複数の方法を支援すべく、人間工学的に考慮された一箇所又は複数箇所に配置することができる。
【００４０】
グリップ強化手段は更に、ユーザの指と外箱部との間の確実な握りを確保するように構成され得る、言い換えれば、外箱部の表面に指による接線力が加わった時に、指との接触面を確保するに十分な高さと間隔を有していてよい。グリップ強化手段の高さは、例えば０．０２〜１ｍｍ、好ましくは０．１〜０．５ｍｍとすることができる。複数のグリップ強化手段を設ける場合、隣接するグリップ強化手段の間隔（ピッチ）は、一例として、少なくとも０．５ｍｍ、好ましくは０．５〜５ｍｍとすることができる。
【００４１】
グリップ強化手段はまた、その外表面の静止摩擦係数が０．２〜２．０となる様に構成されてよい。
【００４２】
グリップ感は、グリップ強化手段の摩擦係数若しくは高さ、又はその両方を増加させることで向上させることができる。従って、グリップ強化手段が外箱部の外表面へ押出し又は堆積される付加部材を有する場合、かかる部材の量は、静止摩擦係数がより大きい部材を選択することで削減できる。
【００４３】
図１Ｃに、折り畳んで外箱部を形成する為の厚紙ブランクを示す。
【００４４】
外箱部１１は、その完成時に互いに対向する前面１８ａと後面１８ｂを備える。これら前面と後面は、側面１９で接続されている。開口部１３はこの側面に形成されている。
【００４５】
外箱部の上面１５は、前上面部１５ａと、後上面部１５ｂと、側上面部１５ｃとから形成される。外箱部を形成する際は、後上面部及び側上面部が前上面部の下面側に糊付けされるか又は取り付けられる。同様に、外箱部の底面１６は、前底面１６ａと、後底面１６ｂと、側底面１６ｃとから形成される。外箱部を形成する際は、後底面部及び側底面部が前底面部の上面側に糊付けされるか又は取り付けられる。
【００４６】
図２によれば、スイング開閉式箱の形態を採るパッケージ２０が示されている。スライド開閉式箱と同様、このスイング開閉式箱も外箱部２１と内箱部２２とを有する。内箱部は外箱部に対して移動可能であり、特に図２Ａに示す閉位置と、図２Ｂに示す開位置との間で回動可能である。
【００４７】
ユーザは、外箱部の開口部２３から覗く内箱部の部分を親指又はその他の指で押すことにより、内箱部を回動させることができる。図２Ｂには示していないが、外箱部が開位置にある時、ユーザは内箱部の中身にアクセスすることができる。
【００４８】
スライド開閉式箱の場合と同様、例えば、ＰＣＴ国際公開第２０１３／１６４３７２号に開示されているように、内箱部を開位置と閉位置とに保つための適度な抵抗を付与することができる。この様にして、内箱部に対する外箱部の不用意な移動を防止することができる。
【００４９】
外箱部には、外箱部を把持するのを補助するための複数の部位にグリップ強化手段２４が設けられている。グリップ強化手段は、例えば図２に示す様に、前壁部２８ａと後壁部２８ｂとにそれぞれ設けることができる。これらグリップ強化手段は、例えば、凸状又は凹状のリブ、ニスの線若しくは点、又は、微粒子及び／又は外箱部の表面に堆積若しくは押し出されたプラスチックのような合成材料の形態を取り得る。その箱を開けるには、ユーザは、例えば親指と、中指か薬指或いはその両方（場合により小指も添えて）を前壁部と後壁部の上に置いてこれらの指の間に外箱部を挟み、開口部２３を通して内箱部を人差し指又は中指で押すことができる。片手、両手のいずれで行うにしろ、箱を開ける方法は他にも種々考えられる。このグリップ強化手段は、箱を開ける、閉める、或いはその両方の動作を行い得る一つ又は複数の方法を支援すべく、人間工学的に考慮された一箇所又は複数箇所に配置することができる。
【００５０】
図２Ｃに、折り畳んで外箱部２１を形成する為の厚紙ブランクを示す。
【００５１】
外箱部１１は、その完成時に互いに対向する前面２８ａと後面２８ｂとを備える。これら前と後面は側面２９で接続されている。開口部２３はこの側面に形成されている。
【００５２】
上記外箱部の上面２５は、前上面部２５ａと、後上面部２５ｂと、側上面部２５ｃとから形成される。外箱部を形成する際は、後上面部と側上面部とが前上面部の下面側に糊付けされるか又は取り付けられる。同様に、外箱部の底面２６は、前底面部２６ａと、後底面部２６ｂと、側底面部２６ｃとから形成される。外箱部を形成する際は、後底面部及び側底面部が前底面部の上面側に糊付けされる。
【００５３】
外箱部の完成時において、底面は外箱部の底面全体を覆ってはいない。外箱部は、更に、底面部に折り畳み式に接続される接続フラップ２６ｄを備える。底面部とは異なり、この接続フラップは後面から分離される。この結果、外箱部の完成時には、接続フラップは、外箱部の残部に対して回動可能である。パッケージ成形時には、内箱部がこの接続フラップ上に搭載される。
【００５４】
以上、本発明の用例を２つ挙げたが、他の実施例や変形例も可能である。
【００５５】
例えば、グリップ強化手段は、エンボス加工、デボス加工、押出し加工によって形成されるのではなく、外箱部の外表面に静止摩擦係数が比較的大きいニスを盛るか若しくはコーティング、パッケージの外装の他の部分の滑らかなニス若しくは塗装層を欠如させる、又は、他の適切なテクスチャ付与手段によって形成されてもよい。
【００５６】
グリップ強化手段の形状を変えてもよく、例えば、複数の線、複数の点、複数のパッチ、又はその他の形状を採り得る。グリップ強化手段は、特定領域をカバーする複数セットにグループ化されてもよい。それらは、これら領域内に規則的に配置されてよく、例えば固定ピッチにて配置されてよい。
【００５７】
上記グリップ強化手段の配置又は触感は、中身の取出し口である内箱部の開口部に対して非対称であってよい。この非対称性により、ユーザは箱を見ずに開ける場合にも、その箱を持つ時の正しい方向を知ることができる。例えば、パッケージ２０のユーザは、それを開ける際、グリップ強化手段を一番下にしてパッケージ２０を持つことにより、シガレットを決して落とさない様にすることができる。この種の、或いは類似の方式では、接触によって識別され得るグリップ強化手段の位置を利用して、ユーザにパッケージの向きを知らせることもできる。向きを知らせる為に利用できるグリップ強化手段（単独、或いは一以上のグループ）の接触識別可能な特徴としては、この他にも例えば、形状、寸法、高さ／深さ、又はテクスチャが挙げられる。グリップ強化手段が異なる特徴を持つ領域間で明確な境界があってもよいし、そのような特徴はなだらかに変わっていてもよい。例えば、点若しくは線のパターンの密度、又は、エンボスの高さ、又はそれらの両方が、箱の底部から上部にかけて減少していてもよい。
【００５８】
上述した様に、当該パッケージは厚紙製であってよい。但し、外箱部は、内箱部よりも手に触れる回数が多いと考えられるため、内箱部よりも丈夫に作られていてもよい。例えば、外箱部はより厚い厚紙、プラスチック、金属又は木で出来ていてよい。外箱部は、内箱部を置き換え可能とすべく、リユース可能なケースとして形成してもよい。かかる置き換え可能な内箱部は、別売りの使い捨て式のレフィル用カートリッジでもよく、或いは市場に流通しているスライド開閉式又はスイング開閉式のパッケージから抜き出されたものであってもよい。外箱部には、ブランド表示、装飾、モノグラム等の識別手段のいずれか又は全てが付与されていてよい。グリップ強化手段の一部又は全体が、これらブランド表示／装飾／識別手段を与える目的で配置されてもよい。
【００５９】
加えて、当業者であれば、上記パッケージの特有の形状や特有の構成の配置を変形又は変更することができるであろう。その他の変更や変形も当業者にとって自明である。これら変更や変形は、公知のものと同等又は異なる構成を含んでよく、本明細書に述べた構成に替えて、又は追加的に用いてよい。また、別々の実施態様の中で上述した構成を、一つの実施態様にまとめて提供してもよい。逆に、一つの実施態様の中で論じた各構成を別々に 、或いは適当に小分けして提供してもよい。
【００６０】
上述した内容は次のように特定することもできる。
（１）
パッケージ（１０、２０）用の外箱部（１１、２１）であって、
前壁部（１８ａ、２８ａ）、後壁部（１８ｂ、２８ｂ）、天壁部（１５、２５）、及び底壁部（１６、２６）を備え、
前記前壁部及び前記後壁部は、互いに平行であり、且つ、少なくとも前記天壁部と前記底壁部とによって離間された状態で接続されて囲い（エンクロージャ）を形成しており、
前記外箱部は、内箱部（１２、２２）を内部に配置し、該内箱部を前記外箱部に対して閉位置と開位置との間で移動可能に構成され、
一つ又は複数のグリップ強化手段（１４、２４）が、前記各壁部の少なくとも一つの外表面に設けられており、かつ、前記内箱部を前記外箱部に対して移動させる際にユーザが前記外箱部を把持し易くなるよう構成されている、
外箱部。
（２）
前記グリップ強化手段少なくとも一つが、
前記前壁部若しくは前記後壁部の一方又は双方の実質的な中間部（１７ａ、１７ｂ）の実質的な内側に設けられているか、若しくは
前記天壁部又は前記後壁部の端部に隣接して設けられているか、又は、
その双方である、
（１）に記載の外箱部。
（３）
前記グリップ強化手段の少なくとも一つが摩擦係数０．２から２．０のコーティングを備える、
（１）又は（２）に記載の外箱部。
（４）
前記グリップ強化手段の少なくとも一つが前記外箱部の外表面の凸状部を備える、
（１）から（３）のいずれか一つに記載の外箱部。
（５）
前記凸状部が、エンボス加工されたリブ、線、若しくは点、ニス掛けされたリブ、線、若しくは点、又は、粒子材及び／又は合成材が押出し若しくは堆積されたリブ、線、若しくは点を備える、
（４）に記載の外箱部。
（６）
少なくとも０．５ｍｍの一定間隔、好ましくは５．０ｍｍ以下の一定間隔で配置された複数の前記グリップ強化手段を備える、
（１）から（５）のいずれか一つに記載の外箱部。
（７）
前記グリップ強化手段は０．０２ｍｍから０．１０ｍｍの高さを有する、
（４）、又は、（５）と（４）に従属する（６）とのいずれか一方に記載の外箱部。
（８）
前記内箱部の前記開位置から前記閉位置への移動が、直線移動又は回動を含む、
（１）から（７）のいずれか一つに記載の外箱部。
（９）
前記グリップ強化手段の少なくとも一つが、前記外箱部の長辺の少なくとも１つに対して傾斜した少なくとも一つの線に沿って延在する、
（１）から（８）のいずれか一つに記載の外箱部。
（１０）
前記グリップ強化手段の少なくとも一つが 、前記パッケージの向きをユーザに触知させるように構成されている、
（１）から（９）のいずれか一つに記載の外箱部。
（１１）
前記グリップ強化手段の少なくとも一つが、
該グリップ強化手段の単体若しくはこれを含む集団の形状；
該グリップ強化手段の単体若しくはこれを含む集団の寸法；
該グリップ強化手段の単体若しくはこれを含む集団の高さ；
該グリップ強化手段の単体若しくはこれを含む集団の深さ；又は、
該グリップ強化手段の単体若しくはこれを含む集団のテクスチャ
の非対称性によって向きを示すように構成されている、
（１０）に記載の外箱部。
（１２）
取り外し可能及び交換可能に構成された前記内部箱との可逆的接続手段を備える、
（１）から（１１）のいずれか一つに記載の外箱部。
（１３）
（１）から（１２）のいずれか一つに記載の外箱部を形成するためのブランクであって、
前記前壁部及び前記後壁部を形成する少なくとも２つの主パネル（１８ａ、１８ｂ、２８ａ、２８ｂ）と；
前記２つの主パネルの間にあって、前記２つの主パネルと折り線で境を接する少なくとも１つの接続パネル（１９、２９）と；
前記２つの主パネルの少なくとも一つの長手方向の各端において一つの折り線で境を接し、前記天壁部と前記底壁部との各々を形成する少なくとも１つのフラップ（１５ａ、１５ｂ、１６ａ、１６ｂ、２５ａ、２５ｂ、２６ａ、２６ｂ）と；
を有し、
前記２つの主パネルの少なくとも一つ又は前記フラップの少なくとも一つが、その外表面に前記グリップ強化手段を備える、
ブランク。
（１４）
（１）から（１２）のいずれか一つに記載の外箱部を製造する方法であって、（１３）に記載のブランクを折り畳む工程を含む、
製造方法。
（１５）
内箱部と、（１）から（１２）のいずれか一つに記載の外箱部とを備えるパッケージ（１０、２０）であって、該内箱部が該外箱部内に収容され、該外箱部に対して閉位置と開位置との間で移動可能に構成されている、
パッケージ。
【図１Ａ】
2020033107.tif 000003
【図１Ｂ】
2020033107.tif 000004
【図１Ｃ】
2020033107.tif 000005
【図２Ａ】
2020033107.tif 000006
【図２Ｂ】
2020033107.tif 000007
【図２Ｃ】
2020033107.tif 000008
【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
パッケージ（１０、２０）用の外箱部（１１、２１）であって、
前壁部（１８ａ、２８ａ）、後壁部（１８ｂ、２８ｂ）、天壁部（１５、２５）、及び底壁部（１６、２６）を備え、
前記前壁部及び前記後壁部は、互いに平行であり、且つ、少なくとも前記天壁部及び前記底壁部、並びに前記天壁部と前記底壁部と前記前壁部と前記後壁部との全てに接続された側壁部によって離間された状態で接続されて囲い（エンクロージャ）を形成しており、
前記側壁部は開口部を含み、
前記外箱部は、内箱部（１２、２２）を内部に配置し、ユーザが手指で前記開口部を介して該内箱部を押すことで該内箱部が前記外箱部に対して閉位置と開位置との間で移動可能となるように構成されており、
一つ又は複数のグリップ強化手段（１４、２４）が、前記前壁部若しくは前記後壁部の一方又は両方の外表面の実質的な中間部（１７ａ、１７ｂ）内に設けられており、前記内箱部を前記外箱部に対して移動させる際にユーザが前記外箱部を把持し易くなるよう構成されている、
外箱部。
【請求項２】
前記天壁部に近い側を上方とし前記底壁部に近い側を下方とした場合に、前記グリップ強化手段（１４、２４）が設けられている前記中間部の上端部は、前記開口部の上縁部よりも上方にあり、該中間部の下端部は、前記開口部の下縁部よりも下方にある、
請求項１に記載の外箱部。
【請求項３】
少なくとも一つのグリップ強化手段が、前記天壁部又は前記底壁部における、前記開口部が設けられている前記側壁部のほうの端部に、隣接して設けられている、
請求項１又は２に記載の外箱部。
【請求項４】
前記グリップ強化手段の少なくとも一つが摩擦係数０．２から２．０のコーティングを備える、
請求項１から３のいずれか一項に記載の外箱部。
【請求項５】
前記グリップ強化手段の少なくとも一つが前記外箱部の外表面の凸状部を備えている、
請求項１から４のいずれか一項に記載の外箱部。
【請求項６】
前記凸状部が、エンボス加工されたリブ、線、若しくは点、ニス掛けされたリブ、線、若しくは点、又は、粒子材及び／又は合成材が押出し若しくは堆積されたリブ、線、若しくは点を備える、
請求項５に記載の外箱部。
【請求項７】
少なくとも０．５ｍｍの一定間隔、好ましくは５．０ｍｍ以下の一定間隔で配置された複数の前記グリップ強化手段を備える、
請求項１から６のいずれか一項に記載の外箱部。
【請求項８】
前記グリップ強化手段は０．０２ｍｍから０．１０ｍｍの高さを有する、
請求項５、及び請求項５に従属する請求項６又は７のいずれか一項に記載の外箱部。
【請求項９】
前記内箱部の前記開位置から前記閉位置への移動が、直線移動又は回動を含む、
請求項１から８のいずれか一項に記載の外箱部。
【請求項１０】
前記グリップ強化手段の少なくとも一つが、前記外箱部の長辺の少なくとも１つに対して傾斜した少なくとも一つの線に沿って延在している、
請求項１から９のいずれか一項に記載の外箱部。
【請求項１１】
前記グリップ強化手段の少なくとも一つが 、前記パッケージの向きをユーザに触知させるように構成されている、
請求項１から１０のいずれか一項に記載の外箱部。
【請求項１２】
前記グリップ強化手段の少なくとも一つが、
該グリップ強化手段の単体若しくはこれを含む集団の形状；
該グリップ強化手段の単体若しくはこれを含む集団の寸法；
該グリップ強化手段の単体若しくはこれを含む集団の高さ；
該グリップ強化手段の単体若しくはこれを含む集団の深さ；又は、
該グリップ強化手段の単体若しくはこれを含む集団のテクスチャ
の非対称性によって向きを示すように構成されている、
請求項１１に記載の外箱部。
【請求項１３】
請求項１から１２のいずれか一項に記載の外箱部を形成するためのブランクであって、
前記前壁部及び前記後壁部を形成する少なくとも２つの主パネル（１８ａ、１８ｂ、２８ａ、２８ｂ）と；
前記２つの主パネルの間にあって、前記２つの主パネルと折り線で境を接し側壁部を形成しかつ開口を備える少なくとも１つの接続パネル（１９、２９）と；
前記２つの主パネルの少なくとも一つの長手方向の各端において一つの折り線で境を接し、前記天壁部と前記底壁部との各々を形成する少なくとも１つのフラップ（１５ａ、１５ｂ、１６ａ、１６ｂ、２５ａ、２５ｂ、２６ａ、２６ｂ）と；
を有し、
前記２つの主パネルの少なくとも一つが、その外表面に前記グリップ強化手段を備える、
ブランク。
【請求項１４】
前記フラップ（１５ａ、１５ｂ、１６ａ、１６ｂ、２５ａ、２５ｂ、２６ａ、２６ｂ）の少なくとも一つが、その外表面にグリップ強化手段を備えており、
前記グリップ強化手段は、前記少なくとも一つのフラップの外表面における、前記開口が設けられている前記接続パネル側の端部に、隣接して設けられている、
請求項１３に記載のブランク。
【請求項１５】
請求項１から１２のいずれか一項に記載の外箱部を製造する方法であって、請求項１３又は１４に記載のブランクを折り畳む工程を含む、
製造方法。
【請求項１６】
内箱部と、請求項１から１２のいずれか一項に記載の外箱部とを備えるパッケージ（１０、２０）であって、該内箱部が該外箱部内に収容され、該外箱部に対して閉位置と開位置との間で移動可能に構成されている、
パッケージ。